(57)【要約】【課題】制御装置の特定機能を不正に有効化することを妨ぐことができる機能有効化記録媒体を提供する。【解決手段】コントローラ２の無効化されている特定機能を有効化する為に用いる有効化記録媒体３０ａであって、読取優先領域３１と読取可能領域３２とを備える。読取優先領域３１は、汎用のパーソナルコンピュータなどで読取不能な領域であり、コントローラ２の起動時に読み込まれて実行される有効化ブートローダ４１が記録される。読取可能領域３２には、有効化ＯＳ４２と有効化プログラム４３とが記録される。有効化ブートローダ４１は有効化ＯＳ４２をコントローラ２に読み込ませて実行させ、有効化ＯＳ４２は有効化プログラム４３をコントローラ２に読み込ませて実行させる。有効化プログラム４３は、コントローラ２で実行されることにより、コントローラ２の特定機能を有効にすると共に読取優先領域３１に記録される有効化ブートローダ４１を消去する。【選択図】        図１
2004326874.tif 000002
【特許請求の範囲】
【請求項１】
制御装置（２）の無効化されている特定機能を有効化する為に用いる機能有効化記録媒体（３０ａ）であって、
汎用読取装置で読取不能な領域であり、前記制御装置（２）の起動時に読み込まれて実行される媒体起動手段（４１）が記録される読取不能領域（３１）と、
前記汎用読取装置で読取可能な領域であり、有効化手段（４２、４３）が記録される読取可能領域（３２）と、
を備え、
前記媒体起動手段（４１）は、前記制御装置（２）で実行されることにより、前記読取可能領域（３２）に記録される前記有効化手段（４２、４３）を前記制御装置（２）に読み込ませて実行させ、
前記有効化手段（４２、４３）は、前記制御装置（２）で実行されることにより、前記制御装置（２）の前記特定機能を有効にすると共に前記読取不能領域（３１）に記録される前記媒体起動手段（４１）を消去する、
機能有効化記録媒体（３０ａ）。
【請求項２】
前記有効化手段（４２、４３）は、前記制御装置（２）で実行されることにより、前記制御装置（２）の前記特定機能を有効にすると共に前記読取不能領域（３１）に記録される前記媒体起動手段（４１）及び前記読取可能領域（３２）に記録される前記有効化手段（４２、４３）を消去する、請求項１に記載の機能有効化記録媒体（３０ａ）。
【請求項３】
前記有効化手段（４２、４３）は、前記制御装置（２）のオペレーティングシステム（ＯＳ）である有効化ＯＳ（４２）と前記有効化ＯＳ（４２）上で実行される有効化プログラム（４３）とを有し、
前記媒体起動手段（４１）は、前記制御装置（２）で実行されることにより、前記読取可能領域（３２）に記録される前記有効化ＯＳ（４２）を前記制御装置（２）で実行させ、
前記有効化ＯＳ（４２）は、前記制御装置（２）で実行されることにより、前記読取可能領域（３２）に記録される前記有効化プログラム（４３）を前記制御装置（２）で実行させ、
前記有効化プログラム（４３）は、前記制御装置（２）で実行されることにより、前記制御装置（２）の前記特定機能を有効にすると共に前記読取不能領域（３１）に記録される前記媒体起動手段（４１）を消去し、さらに前記読取可能領域（３２）に記録される前記有効化ＯＳ（４２）を消去する、
請求項１に記載の機能有効化記録媒体（３０ａ）。
【請求項４】
前記制御装置（２）は、設備機器（１）の管理を行う機器管理装置（２）である、請求項１から３のいずれかに記載の機能有効化記録媒体（３０ａ）。
【請求項５】
前記汎用読取装置は、メモリカードを読取可能である汎用コンピュータであり、
メモリカードである、請求項１から４のいずれかに記載の機能有効化記録媒体（３０ａ）。
【請求項６】
制御装置（２）の無効化されている特定機能を有効化する為に用いる機能有効化装置であって、
記憶部と、
前記制御装置（２）及び汎用読取装置に接続可能な被接続部と、
を備え、
前記記憶部は、前記汎用読取装置からの読取が不能である読取不能領域と、前記汎用読取装置からの読取が可能である読取可能領域とを有し、
前記読取不能領域には、前記制御装置（２）の起動時に読み込まれて実行される装置起動手段（４１）が記憶されており、
前記読取可能領域には、有効化手段（４２、４３）が記憶されており、
前記装置起動手段（４１）は、前記制御装置（２）で実行されることにより、前記読取可能領域に記憶される前記有効化手段（４２、４３）を前記制御装置（２）に読み込ませて実行させ、
前記有効化手段（４２、４３）は、前記制御装置（２）で実行されることにより、前記制御装置（２）の前記特定機能を有効にすると共に前記読取不能領域に記憶される前記装置起動手段（４１）を消去する、
機能有効化装置。
【請求項７】
無効化された特定機能を有する制御装置（２）であって、
媒体起動手段（４１）と有効化手段（４２、４３）とが記録される機能有効化記録媒体（３０ａ）を読み取り可能な媒体読取部（１５）と、
通常起動手段（２１）を少なくとも記録する記録部（１２）と、
起動時に前記起動手段（２１、４１）を実行する処理部（１４）と、
を備え、
前記媒体起動手段（４１）は、汎用読取装置で読取不能な領域である前記機能有効化記録媒体（３０ａ）の読取不能領域（３１）に記録されており、
前記有効化手段（４２、４３）は、前記汎用読取装置で読取可能な領域である前記機能有効化記録媒体（３０ａ）の読取可能領域（３２）に記録されており、
前記処理部（１４）は、起動時において、前記媒体読取部（１５）に前記機能有効化記録媒体（３０ａ）がある場合に前記機能有効化記録媒体（３０ａ）の前記媒体起動手段（４１）を読み込んで実行し、前記媒体読取部（１５）に前記機能有効化記録媒体（３０ａ）が無い場合に前記記録部（１２）の前記通常起動手段（２１）を読み込んで実行し、
前記媒体起動手段（４１）は、前記処理部（１４）で実行されることにより、前記有効化手段（４２、４３）を前記媒体読取部（１５）で読み込ませると共に前記処理部（１４）で実行させ、
前記有効化手段（４２、４３）は、前記処理部（１４）で実行されることにより、前記特定機能を有効にすると共に前記機能有効化記録媒体（３０ａ）に記録される前記媒体起動手段（４１）を消去する、
制御装置（２）。
【請求項８】
前記有効化手段（４２、４３）は、前記処理部（１４）で実行されることにより、前記特定機能を有効にすると共に前記機能有効化記録媒体（３０ａ）に記録される前記媒体起動手段（４１）及び前記有効化手段（４２、４３）を消去する、請求項７に記載の制御装置（２）。
【請求項９】
前記有効化手段（４２、４３）は、前記制御装置のオペレーティングシステム（ＯＳ）である有効化ＯＳ（４２）と前記有効化ＯＳ（４２）上で実行される有効化プログラム（４３）とを有し、
前記媒体起動手段（４１）は、前記処理部（１４）で実行されることにより、前記読取可能領域（３２）に記録される前記有効化ＯＳ（４２）を前記処理部（１４）で実行させ、
前記有効化ＯＳ（４２）は、前記処理部（１４）で実行されることにより、前記読取可能領域（３２）に記録される前記有効化プログラム（４３）を前記処理部で実行させ、
前記有効化プログラム（４３）は、前記処理部（１４）で実行されることにより、前記特定機能を有効にすると共に前記読取不能領域（３１）に記録される前記媒体起動手段（４１）を消去し、さらに前記読取可能領域（３２）に記録される前記有効化ＯＳ（４２）を消去する、
請求項７に記載の制御装置（２）。
【請求項１０】
設備機器（１）の管理を行う機器管理装置（２）である、請求項７から９のいずれかに記載の制御装置（２）。
【請求項１１】
無効化された特定機能を有する制御装置（２）であって、
装置起動手段（４１）と有効化手段（４２、４３）とを記憶する機能有効化装置と接続する接続部と、
通常起動手段（２１）を少なくとも記録する記録部（１２）と、
起動時に前記起動手段（２１、４１）を実行する処理部（１４）と、
を備え、
前記機能有効化装置は、汎用接続装置に接続された際に、前記汎用接続装置からの読取が不能である読取不能領域（３１）と前記汎用接続装置からの読取が可能である読取可能領域（３２）とが設けられる記憶部を有し、
前記装置起動手段（４１）は、前記読取不能領域（３１）に記憶されており、
前記有効化手段（４２、４３）は、前記読取可能領域（３２）に記憶されており、
前記処理部（１４）は、起動時において、前記接続部に前記機能有効化装置が接続されている場合に前記機能有効化装置の前記装置起動手段（４１）を読み込んで実行し、前記接続部に前記機能有効化装置が接続されていない場合に前記記録部（１２）の前記通常起動手段（２１）を読み込んで実行し、
前記装置起動手段（４１）は、前記処理部（１４）で実行されることにより、前記有効化手段（４２、４３）を前記接続部で読み込ませると共に前記処理部（１４）で実行させ、
前記有効化手段（４２、４３）は、前記処理部（１４）で実行されることにより、前記特定機能を有効にすると共に前記機能有効化装置に記憶される前記装置起動手段（４１）を消去する、
制御装置（２）。
【請求項１２】
無効化された特定機能を有する制御装置（２）と、
前記制御装置（２）の前記特定機能を有効化する有効化手段が記録される機能有効化記録媒体（３０ａ）と、
から構成され、
前記機能有効化記録媒体（３０ａ）は、汎用読取装置で読取不能な領域であり前記制御装置（２）の起動時に読み込まれて実行される媒体起動手段（４１）が記録される読取不能領域（３１）と、前記汎用読取装置で読取可能な領域であり有効化手段（４２、４３）が記録される読取可能領域（３２）とを有し、
前記媒体起動手段（４１）は、前記制御装置（２）で実行されることにより、前記有効化手段（４２、４３）を前記制御装置（２）に読み込ませて実行させ、
前記有効化手段（４２、４３）は、前記制御装置（２）で実行されることにより、前記制御装置）（２）の前記特定機能を有効にすると共に前記機能有効化記録媒体（３０ａ）に記録される前記媒体起動手段（４１）を消去する、
機能有効化システム。
【請求項１３】
前記有効化手段（４２、４３）は、前記制御装置（２）で実行されることにより、前記制御装置（２）の前記特定機能を有効にすると共に前記機能有効化記録媒体（３０ａ）に記録される前記媒体起動手段（４１）及び前記有効化手段（４２、４３）を消去する、請求項１２に記載の機能有効化システム。
【請求項１４】
前記制御装置（２）は、設備機器の管理を行う機器管理装置（２）である、請求項１２または１３に記載の機能有効化システム。
【発明の詳細な説明】
【０００１】
【発明の属する技術分野】
本発明は、記録媒体、特に制御装置の無効化されている特定機能を有効化する際に用いられる機能有効化記録媒体に関する。また、機能有効化記録媒体が用いられる制御装置、さらにそれらが用いられる機能有効化システムに関する。
【０００２】
【従来の技術】
従来から、ビルなどの建物に設置された設備機器（空調機器、照明機器、給湯機器など）の管理を行う管理制御装置が知られている。この管理制御装置は、設備機器に関する機器情報を取得して、さらに制御を行う。また、管理制御装置は、機器情報に基づいた処理を行って出力を行うこともある。
【０００３】
また、管理制御装置の標準機能の他に、付加的な特定機能を行わせることが可能な場合がある。特定機能を提供するために、管理制御装置にこの特定機能を後付けしたり、予め無効化された特定機能を有効化させたりすることになどが挙げられる。
上記の管理制御装置の場合と同様に、一般に制御装置において標準機能以外の特定機能が実行可能となると、多機能化することにより制御装置の付加価値が向上する事になる。このため、特定機能を付加させる手段が複製されると、様々な面でダメージを受ける。よって、従来から手段の複製化を妨げる手法が提案されている（例えば、特許文献１参照）。
【０００４】
特定機能が予め制御装置に無効化されて備えられており、特定機能の有効化手段を用いることにより有効化される場合がある。このような場合に、悪意を持った利用者などが特定機能の有効化手段を複製して、対価を支払うことなく本人又は他者の制御装置の特定機能を有効化する事もあり得る。このような行為が行われると、特定機能を有効化することにより利益を得ている正規の業者に対して悪影響を及ぼすことになる。
【０００５】
例えば、特定機能を有効化する有効化手段が記録されている記録媒体を用いて制御装置の特定機能を有効化する場合には、悪意を持った者が有効化手段を他の記録媒体に複製し、複製記録媒体を販売して利益を得るおそれや、その者が自ら複製記録媒体を用いて特定機能を有効化する活動を行うおそれがある。
このため、このような場合には、有効化手段を記録した記録媒体から複製を行わせない何らかの方策を講じる必要がある。
【０００６】
【特許文献１】
特開平５−２５８４６２号公報
【０００７】
【発明が解決しようとする課題】
特定機能を有効化する有効化手段を実行する際に、記録媒体の有効化手段を削除することにより、有効化手段の複製を防ぐことがある。
しかし、この場合にも、有効化手段を用いる前に有効化手段の複製を作成することが可能であるため、悪意を持った複製を防ぐことができないことになる。
【０００８】
本発明の課題は、制御装置の特定機能を不正に有効化することを妨ぐことができる機能有効化記録媒体を提供することにある。本発明の別の課題は、前掲の機能有効化記録媒体により特定機能を有効化する制御装置を提供することにある。さらに、本発明の別の課題は、これらの機能有効化記録媒体及び制御装置を備えた機能有効化システムを提供することにある。
【０００９】
【課題を解決するための手段】
請求項１に記載の機能有効化記録媒体は、制御装置の無効化されている特定機能を有効化する為に用いる機能有効化記録媒体であって、読取不能領域と読取可能領域とを備える。読取不能領域は、汎用読取装置で読取不能な領域であり、制御装置の起動時に読み込まれて実行される媒体起動手段が記録される。また、読取可能領域は、汎用読取装置で読取可能な領域であり、有効化手段が記録される。媒体起動手段は、制御装置で実行されることにより、読取可能領域に記録される有効化手段を制御装置に読み込ませて実行させる。有効化手段は、制御装置で実行されることにより、制御装置の特定機能を有効にすると共に読取不能領域に記録される媒体起動手段を消去する。
【００１０】
制御装置の特定機能は当初無効化されている。制御装置で媒体起動手段が実行された後に有効化手段が実行されることにより、制御装置の特定機能が有効化される。
ここでは、有効化手段が制御装置で実行されることにより、制御装置の特定機能が有効化され、さらに機能有効化記録媒体に記録される媒体起動手段を消去する。
【００１１】
有効化手段は、制御装置において媒体起動手段が実行されることにより実行可能な手段である。すなわち、読取不能領域から媒体起動手段が消去されると、有効化手段を実行できず、無効化されている制御装置の特定機能を有効にすることが不可能になる。
また、媒体起動手段は、汎用読取装置で読取不能な読取不能領域に記録されている。このため、汎用読取装置において他の記録媒体に有効化手段などを複製しても、媒体起動手段が複製されていないため、有効化手段が実行できず、制御装置の特定機能を有効化できないことになる。
【００１２】
以上により、機能有効化記録媒体の複製を防ぐ事が可能となり、制御装置の特定機能が不正に有効化されることを妨げることができる。
なお、有効化手段は、制御装置で実行されることにより、媒体起動手段を消去するが、併せて機能有効化記録媒体の有効化手段を消去してもよい。この場合には、さらに有効化手段の複製化をも妨げることが可能となるため、特定機能を不正に有効化されるおそれをさらに抑えることができる。
【００１３】
また、機能有効化記録媒体は、記録の消去が可能な記録媒体である。例えば、メモリカード、フレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などが挙げられる。
請求項２に記載の機能有効化記録媒体は、請求項１に記載の機能有効化記録媒体であって、有効化手段が制御装置で実行されることにより、制御装置の特定機能を有効にすると共に読取不能領域に記録される媒体起動手段及び読取可能領域に記録される有効化手段を消去する。
【００１４】
ここでは、有効化手段が制御装置で実行されることにより、読取不能領域に記録される媒体起動手段が消去されるのに加えて、読取可能領域に記録される有効化手段も消去される。これにより、有効化手段の複製化をも妨げることが可能となるため、特定機能を不正に有効化されるおそれをさらに抑えることができる。
請求項３に記載の機能有効化記録媒体は、請求項１に記載の機能有効化記録媒体であって、有効化手段が制御装置のオペレーティングシステム（ＯＳ）である有効化ＯＳと有効化ＯＳ上で実行される有効化プログラムとを有している。媒体起動手段は、制御装置で実行されることにより、読取可能領域に記録される有効化ＯＳを制御装置で実行させる。有効化ＯＳは、制御装置で実行されることにより、読取可能領域に記録される有効化プログラムを制御装置で実行させる。有効化プログラムは、制御装置で実行されることにより、制御装置の特定機能を有効にすると共に読取不能領域に記録される媒体起動手段を消去し、さらに読取可能領域に記録される有効化ＯＳを消去する。
【００１５】
ここでは、有効化手段が有効化ＯＳと有効化プログラムとを有している。有効化プログラムは、制御装置において有効化ＯＳが実行されることにより実行可能なプログラムであり、制御装置の通常稼動時には実行できない。すなわち、有効化ＯＳが消去されると、有効化プログラムを実行できず、無効化されている制御装置の特定機能を有効にすることが不可能になる。以上により、制御装置の特定機能が不正に有効化されることを妨げることが可能となる。
【００１６】
なお、有効化プログラムは、制御装置で実行されることにより、機能有効化記録媒体の有効化ＯＳを消去するが、併せて機能有効化記録媒体の有効化プログラムを消去してもよい。この場合には、さらに有効化プログラムの複製化をも妨げることが可能となるため、特定機能を不正に有効化されるおそれをさらに抑えることができる。
【００１７】
請求項４に記載の機能有効化記録媒体は、請求項１から３のいずれかに記載の機能有効化記録媒体であって、制御装置が設備機器の管理を行う機器管理装置である。
ここでは、制御装置が機器管理装置である。このため、機能有効化記録媒体により、機器管理装置の特定機能を有効化することが可能となる。
【００１８】
なお、機器管理装置の特定機能としては、例えば複数の設備機器に対する電力按分機能、スケジュール機能、連動制御機能、デマンド制御機能、省エネ制御機能、追加的な計測機能（パルス入力、発停などの回数カウント）、ＷＥＢサーバ機能などが挙げられる。
請求項５に記載の機能有効化記録媒体は、請求項１から４のいずれかに記載の機能有効化記録媒体であって、機能有効化記録媒体がメモリカードである。また、汎用読取装置は、メモリカードを読取可能である汎用コンピュータである。
【００１９】
ここでは、機能有効化記録媒体がメモリカードであるため、汎用コンピュータで読取不能な読取不能領域を確実に設けることが可能となる。
請求項６に記載の機能有効化装置は、制御装置の無効化されている特定機能を有効化する為に用いる機能有効化装置であって、記憶部と被接続部とを備える。被接続部は、制御装置及び汎用読取装置に接続可能である。記憶部は、汎用読取装置からの読取が不能である読取不能領域と、汎用読取装置からの読取が可能である読取可能領域とを有する。読取不能領域には、制御装置の起動時に読み込まれて実行される媒体起動手段が記憶されている。また、読取可能領域には、有効化手段が記憶されている。媒体起動手段は、制御装置で実行されることにより、読取可能領域に記憶される有効化手段を制御装置に読み込ませて実行させる。有効化手段は、制御装置で実行されることにより、制御装置の特定機能を有効にすると共に読取不能領域に記憶される媒体起動手段を消去する。
【００２０】
制御装置の特定機能は当初無効化されている。制御装置で装置起動手段が実行された後に有効化手段が実行されることにより、制御装置の特定機能が有効化される。
ここでは、有効化手段が制御装置で実行されることにより、制御装置の特定機能が有効化され、さらに機能有効化装置に記録される装置起動手段を消去する。
【００２１】
有効化手段は、制御装置において装置起動手段が実行されることにより実行可能な手段である。すなわち、読取不能領域から装置起動手段が消去されると、有効化手段を実行できず、無効化されている制御装置の特定機能を有効にすることが不可能になる。
また、装置起動手段は、汎用読取装置で読取不能な読取不能領域に記録されている。このため、汎用読取装置において有効化手段などを他の装置に複製しても、装置起動手段が複製されていないため、有効化手段が実行できず、制御装置の特定機能を有効化できないことになる。
【００２２】
以上により、有効化手段の複製及び実行を防ぐ事が可能となり、制御装置の特定機能が不正に有効化されることを妨げることができる。
なお、有効化手段は、制御装置で実行されることにより、装置起動手段を消去するが、併せて機能有効化装置の有効化手段を消去してもよい。この場合には、さらに有効化手段の複製化をも妨げることが可能となるため、特定機能を不正に有効化されるおそれをさらに抑えることができる。
【００２３】
請求項７に記載の制御装置は、無効化された特定機能を有する制御装置であって、媒体読取部、記録部、及び処理部を備える。媒体読取部は、媒体起動手段と有効化手段とが記録される機能有効化記録媒体を読み取り可能である。記録部は、通常起動手段を少なくとも記録する。処理部は、起動時に起動手段を実行する。ここで、媒体起動手段は、汎用読取装置で読取不能な領域である機能有効化記録媒体の読取不能領域に記録されている。また、有効化手段は、汎用読取装置で読取可能な領域である機能有効化記録媒体の読取可能領域に記録されている。処理部は、起動時において、媒体読取部に機能有効化記録媒体がある場合に機能有効化記録媒体の媒体起動手段を読み込んで実行し、媒体読取部に機能有効化記録媒体が無い場合に記録部の通常起動手段を読み込んで実行する。媒体起動手段は、処理部で実行されることにより、有効化手段を媒体読取部で読み込ませると共に処理部で実行させる。有効化手段は、処理部で実行されることにより、特定機能を有効にすると共に機能有効化記録媒体の読取不能領域に記録される媒体起動手段を消去する。
【００２４】
制御装置の特定機能は当初無効化されている。機能有効化記録媒体が媒体読取部に有る場合に、媒体読取部で読み取られた媒体起動手段が処理部で実行されることにより、有効化手段が実行されることにより、制御装置の特定機能が有効化される。機能有効化記録媒体が媒体読取部にない場合には、記録部の通常起動手段を読み込んで処理部で処理することにより、通常起動を行う。
【００２５】
ここでは、有効化手段が処理部で実行されることにより、制御装置の特定機能が有効化され、さらに機能有効化記録媒体に記録される媒体起動手段を消去する。
有効化手段は、制御装置の処理部において、媒体起動手段が実行されることにより実行可能な手段である。すなわち、読取不能領域から媒体起動手段が消去されると、有効化手段を実行できず、無効化されている制御装置の特定機能を有効にすることが不可能になる。
【００２６】
また、媒体起動手段は、汎用読取装置で読取不能な読取不能領域に記録されている。このため、汎用読取装置において他の記録媒体に有効化手段などを複製しても、媒体起動手段が複製されていないため、有効化手段が実行できず、制御装置の特定機能を有効化できないことになる。
以上により、制御装置の特定機能が不正に有効化されることを妨げることができる。
【００２７】
なお、有効化手段は、処理部で実行されることにより、媒体起動手段を消去するが、併せて機能有効化記録媒体の有効化手段を消去してもよい。この場合には、さらに有効化手段の複製化をも妨げることが可能となるため、特定機能を不正に有効化されるおそれをさらに抑えることができる。
また、機能有効化記録媒体は、記録の消去が可能な記録媒体である。例えば、メモリカード、フレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などが挙げられる。
【００２８】
請求項８に記載の制御装置は、請求項７に記載の制御装置であって、有効化手段が処理部で実行されることにより、特定機能を有効にすると共に機能有効化記録媒体に記録される媒体起動手段及び有効化手段を消去する。
ここでは、有効化手段が処理部で実行されることにより、機能有効化記録媒体の読取不能領域に記録される媒体起動手段が消去されるのに加えて、機能有効化記録媒体の読取可能領域に記録される有効化手段も消去される。これにより、有効化手段の複製化をも妨げることが可能となるため、特定機能を不正に有効化されるおそれをさらに抑えることができる。
【００２９】
請求項９に記載の制御装置は、請求項７に記載の制御装置であって、有効化手段が制御装置のオペレーティングシステム（ＯＳ）である有効化ＯＳと有効化ＯＳ上で実行される有効化プログラムとを有する。媒体起動手段は、処理部で実行されることにより、読取可能領域に記録される有効化ＯＳを処理部で実行させる。有効化ＯＳは、処理部で実行されることにより、読取可能領域に記録される有効化プログラムを処理部で実行させる。有効化プログラムは、処理部で実行されることにより、特定機能を有効にすると共に読取不能領域に記録される媒体起動手段を消去し、さらに読取可能領域に記録される有効化ＯＳを消去する。
【００３０】
ここでは、有効化手段が有効化ＯＳと有効化プログラムとを有している。有効化プログラムは、処理部において有効化ＯＳが実行されることにより実行可能なプログラムであり、制御装置の通常稼動時には実行できない。すなわち、有効化ＯＳが消去されると、有効化プログラムを実行できず、無効化されている制御装置の特定機能を有効にすることが不可能になる。以上により、制御装置の特定機能が不正に有効化されることを妨げることが可能となる。
【００３１】
なお、有効化プログラムは、処理部で実行されることにより、機能有効化記録媒体の有効化ＯＳを消去するが、併せて機能有効化記録媒体の有効化プログラムを消去してもよい。この場合には、さらに有効化プログラムの複製化をも妨げることが可能となるため、特定機能を不正に有効化されるおそれをさらに抑えることができる。
【００３２】
請求項１０に記載の制御装置は、請求項７から９のいずれかに記載の制御装置であって、設備機器の管理を行う機器管理装置である。
ここでは、制御装置が機器管理装置である。このため、機能有効化記録媒体により、機器管理装置の特定機能を有効化することが可能となる。
なお、機器管理装置の特定機能としては、例えば複数の設備機器に対する電力按分機能、スケジュール機能、連動制御機能、デマンド制御機能、省エネ制御機能、追加的な計測機能（パルス入力、発停などの回数カウント）、ＷＥＢサーバ機能などが挙げられる。
【００３３】
請求項１１に記載の制御装置は、無効化された特定機能を有する制御装置であって、接続部、記録部、及び処理部を備える。接続部は、装置起動手段と有効化手段とを記憶する機能有効化装置と接続する。記録部は、通常起動手段を少なくとも記録する。処理部は、起動時に起動手段を実行する。機能有効化装置は、汎用接続装置に接続された際に、汎用接続装置からの読取が不能である読取不能領域と汎用接続装置からの読取が可能である読取可能領域とが設けられる記憶部を有する。装置起動手段は読取不能領域に記憶されており、有効化手段は読取可能領域に記憶されている。処理部は、起動時において、接続部に機能有効化装置が接続されている場合に機能有効化装置の装置起動手段を読み込んで実行し、接続部に機能有効化装置が接続されていない場合に記録部の通常起動手段を読み込んで実行する。装置起動手段は、処理部で実行されることにより、有効化手段を接続部で読み込ませると共に処理部で実行させる。有効化手段は、処理部で実行されることにより、特定機能を有効にすると共に機能有効化装置に記憶される装置起動手段を消去する。
【００３４】
制御装置の特定機能は当初無効化されている。機能有効化装置が接続部に接続されている際に、接続部を介して読み取られた媒体起動手段が処理部で実行されることにより、有効化手段が実行されることにより、制御装置の特定機能が有効化される。機能有効化装置が接続部に接続されていない場合には、記録部の通常起動手段を読み込んで処理部で処理することにより、通常起動を行う。
【００３５】
ここでは、有効化手段が処理部で実行されることにより、制御装置の特定機能が有効化され、さらに機能有効化装置に記録される装置起動手段を消去する。
有効化手段は、制御装置の処理部において、装置起動手段が実行されることにより実行可能な手段である。すなわち、読取不能領域から装置起動手段が消去されると、有効化手段を実行できず、無効化されている制御装置の特定機能を有効にすることが不可能になる。
【００３６】
また、装置起動手段は、汎用読取装置で読取不能な読取不能領域に記録されている。このため、汎用読取装置において他の装置に有効化手段などを複製しても、装置起動手段が複製されていないため、有効化手段が実行できず、制御装置の特定機能を有効化できないことになる。
以上により、制御装置の特定機能が不正に有効化されることを妨げることができる。
【００３７】
なお、有効化手段は、処理部で実行されることにより、装置起動手段を消去するが、併せて機能有効化装置の有効化手段を消去してもよい。この場合には、さらに有効化手段の複製化をも妨げることが可能となるため、特定機能を不正に有効化されるおそれをさらに抑えることができる。
請求項１２に記載の機能有効化システムは、無効化された特定機能を有する制御装置と、制御装置の特定機能を有効化する有効化手段が記録される機能有効化記録媒体とから構成される。機能有効化記録媒体は、汎用読取装置で読取不能な領域であり制御装置の起動時に読み込まれて実行される媒体起動手段が記録される読取不能領域と、汎用読取装置で読取可能な領域であり有効化手段が記録される読取可能領域とを有する。媒体起動手段は、制御装置で実行されることにより、有効化手段を制御装置に読み込ませて実行させる。有効化手段は、制御装置で実行されることにより、制御装置の特定機能を有効にすると共に機能有効化記録媒体に記録される媒体起動手段を消去する。
【００３８】
制御装置の特定機能は当初無効化されている。制御装置で媒体起動手段が実行された後に有効化手段が実行されることにより、制御装置の特定機能が有効化される。
ここでは、有効化手段が制御装置で実行されることにより、制御装置の特定機能が有効化され、さらに機能有効化記録媒体に記録される媒体起動手段を消去する。
【００３９】
有効化手段は、制御装置において媒体起動手段が実行されることにより実行可能な手段であり、制御装置の通常稼動時には実行できない。すなわち、読取不能領域から媒体起動手段が消去されると、有効化手段を実行できず、無効化されている制御装置の特定機能を有効にすることが不可能になる。
また、媒体起動手段は、汎用読取装置で読取不能な読取不能領域に記録されている。このため、汎用読取装置で読み取った情報に基づいて他の記録媒体に有効化手段などを複製しても、媒体起動手段が複製されていないため、制御装置の特定機能を有効化できないことになる。
【００４０】
以上により、機能有効化記録媒体の複製を防げるため、制御装置の特定機能が不正に有効化されることを妨げることが可能となる。
なお、有効化手段は、制御装置で実行されることにより、媒体起動手段を消去するが、併せて機能有効化記録媒体の有効化手段を消去してもよい。この場合には、さらに有効化手段の複製化をも妨げることが可能となるため、特定機能を不正に有効化されるおそれをさらに抑えることができる。
【００４１】
また、機能有効化記録媒体は、記録の消去が可能な記録媒体である。例えば、メモリカード、フレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などが挙げられる。
請求項１３に記載の機能有効化システムは、請求項１２に記載の機能有効化システムであって、有効化手段が制御装置で実行されることにより、制御装置の特定機能を有効にすると共に機能有効化記録媒体に記録される媒体起動手段及び有効化手段を消去する。
【００４２】
ここでは、有効化手段が制御装置で実行されることにより、機能有効化記録媒体の読取不能領域に記録される媒体起動手段が消去されるのに加えて、機能有効化記録媒体の読取可能領域に記録される有効化手段も消去される。これにより、有効化手段の複製化をも妨げることが可能となるため、特定機能を不正に有効化されるおそれをさらに抑えることができる。
【００４３】
請求項１４に記載の機能有効化システムは、請求項１２または１３に記載の機能有効化システムであって、制御装置が設備機器の管理を行う機器管理装置である。
ここでは、制御装置が機器管理装置である。このため、機能有効化記録媒体により、機器管理装置の特定機能を有効化することが可能となる。
【００４４】
なお、機器管理装置の特定機能としては、例えば複数の設備機器に対する電力按分機能、スケジュール機能、連動制御機能、デマンド制御機能、省エネ制御機能、追加的な計測機能（パルス入力、発停などの回数カウント）、ＷＥＢサーバ機能などが挙げられる。
【００４５】
【発明の実施の形態】
本発明の一実施形態に係る空調機管理システムのブロック図を図１に示す。
この空調機管理システムは、所定場所（建物内など）に設置される複数の空気調和装置１をコントローラ２により制御・管理すると共に、遠隔地に設けられている管理サーバ３において空気調和装置１の管理を行うシステムである。
【００４６】
＜全体の構成＞
空調機管理システムは、主に、複数の空気調和装置１、コントローラ２、管理サーバ３により構成されている。
空気調和装置１は、通信線６を介してコントローラ２に接続されている。空気調和装置１は、コントローラ２からの制御指令に基づいて、室内の空気調和（暖房、冷房、除湿など）を行う。また、空気調和装置１は、機器状態をコントローラ２に送信する。機器状態としては、機器の運転状態や、室内の温度や湿度などの情報を含む。空気調和装置１には、機器状態を取得するための図示しないセンサ類（温度センサ、湿度センサ等）が設けられている。空気調和装置１は、空気調和を行う対象となる室内の壁面や天井などに設けられる室内機４と、室外に設置される室外機５とから構成される。なお、１台の室外機５を複数の室内機４に接続することが可能である。
【００４７】
コントローラ２は、通信線６を介して接続される複数の空気調和装置１を制御及び管理する。コントローラ２は、通信部１１、記録部１２、送受信部１３、処理部１４、及び記録媒体読取部１５を有する。
通信部１１は、通信線６を介して複数の空気調和装置１と接続されており、空気調和装置１から送信される機器情報を受信し、また空気調和装置１を制御する制御信号を送信する。
【００４８】
記録部１２は、機器情報の記録、管理サーバ３から受信する情報の記録などを行う。また、記録部１２には、コントローラ２の起動時に処理部１４において実行されるブートローダ２１、コントローラ２のオペレーティングシステムであるＯＳ２２、コントローラ２の処理プログラムであるプログラム２３が記録されている。ブートローダ２１は、処理部１４で実行されることにより、ＯＳ２２の読み取りと実行を行わせる。なお、ＯＳ２２は、プログラム２３のみの実行が可能であり、他のプログラムの実行ができない。
【００４９】
送受信部１３は、ネットワーク７を介して管理サーバ３と接続されており、空気調和装置１の機器情報などを送信する。また、管理サーバ３から送信される情報を受信する。
処理部１４は、コントローラ２の各種処理を行い、また空気調和装置１や管理サーバ３からの各種情報を処理する。さらに詳しく説明すると、処理部１４は、記録部１２のＯＳ２２を実行し、このＯＳ２２上でプログラム２３を実行することにより、各種処理の実行を行う。各種処理としては、空気調和装置１の出力や設定温度・湿度の変更、省エネルギー運転の設定などが挙げられる。また、コントローラ２の利用者に対する入出力処理（空気調和装置１への制御入力受付、空気調和装置１の状態表示など）も行う。なお、このプログラム２３は、初期的に無効化されている特定機能を有している。特定機能は、コントローラ２の標準機能以外の機能であり、記録部１２に特定機能有効化ファイルが設けられることにより有効化されて処理部１４で実行可能となる。この特定機能としては、例えば空気調和装置１の電力按分機能が挙げられる。電力按分機能は、空気調和装置１の室内機４が空気調和する部屋ごとや室内機４ごと、などにおける電力消費量の按分を行う。
【００５０】
記録媒体読取部１５は、メモリカードである記録媒体３０が接続されることにより、記録媒体３０の読み書きを行う。記録媒体３０には、記録部１２に記録される情報の書込（バックアップ）を行うことができる。
記録媒体３０は、コントローラ２の起動時に優先的に読み取りが行われる読取優先領域３１と、コントローラ２の通常動作時に読み書きが可能である読取可能領域３２とから構成されている。なお、読取優先領域３１は、汎用のパーソナルコンピュータなどでは読取及び書込ができない読取不能領域である。
【００５１】
特に、コントローラ２の起動時に、特別な記録媒体３０である有効化記録媒体３０ａを記録媒体読取部１５に接続することで、記録部１２に特定機能有効化ファイルが設けられ、プログラム２３の特定機能を有効化する事ができる。
有効化記録媒体３０ａには、読取優先領域３１に有効化ブートローダ４１が記録されており、また読取可能領域３２に有効化ＯＳ４２と有効化プログラム４３とが記録されている。有効化プログラム４３は、有効化ＯＳ４２の実行下でのみ実行可能なプログラムである。この有効化プログラム４３が処理部１４で実行されることにより、記録部１２に特定機能有効化ファイルが設けられる。これにより、プログラム２３の特定機能を利用することが可能となる。
【００５２】
なお、有効化プログラム４３は、処理部１４で実行されると、有効化記録媒体３０ａの有効化ブートローダ４１と有効化ＯＳ４２とを削除する。これにより、既に使用された有効化記録媒体３０ａの有効化プログラム４３が処理部１４で実行されなくなるため、他のコントローラ２のプログラム２３の特定機能が有効になることを妨げることができる。
【００５３】
＜動作＞
〔通常動作〕
空調機管理システムの通常動作について説明する。
空気調和装置１の機器状態は、通信線６を介してコントローラ２に送信される。
【００５４】
コントローラ２の通信部１１で受信された空気調和装置１の機器状態は、処理部１４で実行されるプログラム２３により各種処理がなされる。この各種処理に基づいて、コントローラ２の通信部１１から空気調和装置１に制御指令が送信される。この制御指令を受けた空気調和装置１は、制御指令に基づいて室内の空気調和を行う。
【００５５】
また、空気調和装置１の機器状態は、記録部１２に記録される。記録部１２に記録された機器状態のデータは、記録媒体読取部１５に接続された記録媒体３０の読取可能領域３２に記録できる。
さらに、空気調和装置１の機器状態や処理部１４で処理された情報などは、送受信部からネットワーク７を経て管理サーバ３に送信される。管理サーバ３では、コントローラ２から受信した各種情報に基づいて、空気調和装置１の管理を行う。
【００５６】
〔起動時〕
コントローラ２の起動プロセスについて、図２に示すフローチャートに基づいて説明する。ここで、コントローラ２の起動時に、有効化記録媒体３０ａが記録媒体読取部１５に接続されていると、プログラム２３の特定機能が有効化される。
【００５７】
コントローラ２が起動を開始すると、ステップＳ１において、記録媒体読取部１５に記録媒体３０が接続されているか否かを判断する。記録媒体３０が接続されていない場合には、ステップＳ２へ移行し、接続されている場合には、ステップＳ１１へ移行する。
ステップＳ２では、記録部１２に記録されるブートローダ２１の読み取りを行う。続いて、ステップＳ３において、ブートローダ２１が処理部１４で実行される。これにより、記録部１２に記録されるＯＳ２２の読み取りが行われる。
【００５８】
ステップＳ４では、ステップＳ３で読み取られたＯＳ２２が処理部１４で実行される。これにより、記録部１２に記録されるプログラム２３が読み取られる。
ステップＳ５では、ステップＳ４で読み取られたプログラム２３が処理部１４で実行される。これにより、利用者に対する入出力処理を行うことが可能となる。以上で、記録媒体３０が記録媒体読取部１５に接続されていない、通常時におけるコントローラ２の起動が終了する。これ以降は、処理部１４で実行されるプログラム２３により各種処理が行われる。
【００５９】
一方、記録媒体読取部１５に記録媒体３０が接続されていると、ステップＳ１１において、記録媒体３０の読取優先領域３１に有効化ブートローダ４１が記録されているか否か、換言すると記録媒体読取部１５に接続されている記録媒体３０が有効化記録媒体３０ａであるか否か、を確認する。読取優先領域３１に有効化ブートローダ４１が記録されている場合には、ステップＳ１２に移行する。有効化ブートローダ４１が記録されていない場合には、記録媒体３０が記録部１２の情報のバックアップ用であるとみなし、ステップＳ２に移行して通常の起動を行う。
【００６０】
ステップＳ１２では、有効化記録媒体３０ａの読取優先領域３１の有効化ブートローダ４１の読み取りを行う。続いて、ステップＳ１３では、有効化ブートローダ４１が処理部１４で実行される。これにより、有効化記録媒体３０ａの読取可能領域３２の有効化ＯＳ４２の読み取りが行われる。
ステップＳ１４では、ステップＳ１３で読み取られた有効化ＯＳ４２が処理部１４で実行される。これにより、有効化記録媒体３０ａの読取可能領域３２の有効化プログラム４３の読取が行われる。
【００６１】
ステップＳ１５では、ステップＳ１４で読み取られた有効化プログラム４３が処理部１４で実行される。また、これに併せて、有効化記録媒体３０ａの有効化ブートローダ４１と有効化ＯＳ４２とを削除する。
この後に、コントローラ２は、再起動がなされる。再起動後に通常の起動を行ったコントローラ２は、記録部１２に有効化ファイルが設けられているため、プログラム２３の特定機能を利用することが可能となる。
【００６２】
＜特徴＞
本実施形態に係る空調機管理システムでは、コントローラ２の処理部１４で実行されるプログラム２３が無効化された特定機能を有している。この特定機能は、コントローラ２の起動時に有効化記録媒体３０ａを記録媒体読取部１５に接続することで有効化することができる。
【００６３】
さらに詳細に説明すると、有効化記録媒体３０ａの読取可能領域３２に記録される有効化プログラム４３を処理部１４で実行すると記録部１２に特定機能有効化ファイルが設けられるため、プログラム２３の特定機能を有効化することができる。
ここで、特定機能が有効化されたコントローラ２は、付加価値が向上する。このため、有効化プログラム４３を不正に複製して他のコントローラ２の処理部１４で実行されると、他のコントローラ２のプログラム２３の特定機能を有効化されるおそれが生じる。
【００６４】
このようなおそれを抑えるために、本実施形態の有効化プログラム４３は、以下のように設定されている。
有効化プログラム４３が処理部１４で実行されると、有効化記録媒体３０ａの有効化ブートローダ４１及び有効化ＯＳ４２とが削除される。有効化ブートローダ４１と有効化ＯＳ４２とが削除された有効化記録媒体３０ａの有効化プログラム４３を実行することはできない。なぜなら、有効化プログラム４３は有効化ＯＳ４２が処理部１４で実行されているときに実行可能なプログラムであり、さらに有効化ＯＳ４２は有効化ブートローダ４１により読み取りが行われるため、処理部１４で有効化プログラム４３を実行するためには、有効化ブートローダ４１と有効化ＯＳ４２とが処理部で実行される必要が生じる。これにより、有効化記録媒体３０ａにより特定機能を有効化できるコントローラ２は、１台限りとすることができる。
【００６５】
また、以上から、不正に複製された有効化プログラム４３を処理部１４で実行させるためには、複製された有効化プログラム４３が記録される記録媒体３０に有効化ブートローダ４１及び有効化ＯＳ４２が複製されている必要がある。しかし、有効化ブートローダ４１が記録されている読取優先領域３１は、汎用のパーソナルコンピュータなどでは読取及び書込ができない読取不能領域である。このため、有効化ブートローダ４１を他の記録媒体３０に複製することができない。
【００６６】
さらに、通常動作時、すなわちコントローラ２でＯＳ２２が動作している状況では、プログラム２３のみの実行が可能となっている。このため、他のプログラムの実行ができず、有効化プログラム４３の実行も不可能となっている。
以上のように、コントローラ２のプログラム２３の特定機能を不正に有効化されることを妨げることが可能となる。
【００６７】
＜他の実施例＞
（ａ）
本実施形態に係る空調機管理システムのコントローラ２において、処理部１４で有効化プログラム４３が実行されると、有効化記録媒体３０ａの有効化ブートローダ４１と有効化ＯＳ４２とが削除される。ここで、有効化プログラム４３が処理部１４で実行された際に、有効化記録媒体３０ａの有効化ブートローダ４１のみが削除されても良い。有効化ブートローダ４１が存在しないと有効化ＯＳ４２が読み取られないため、有効化ＯＳ４２が実行されないことになり、結果として有効化プログラム４３を処理部１４で実行することができなくなるためである。
【００６８】
また、処理部１４で有効化プログラム４３が実行された際に、有効化記録媒体３０ａに記録されている全ての情報、すなわち有効化ブートローダ４１、有効化ＯＳ４２、及び有効化プログラム４３の全てが削除されても良い。この場合には、特定機能を不正に有効化されるおそれをさらに抑えることができる。
（ｂ）
本実施形態に係る空調機管理システムのコントローラ２のプログラム２３の特定機能を有効化する有効化記録媒体３０ａは、メモリカードである。ここで、記録媒体３０がメモリカード以外のフレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などであり、記録媒体読取部１５がそれぞれの媒体を読み取り可能である構成であっても良い。
【００６９】
（ｃ）
本実施形態に係る空調機管理システムのコントローラ２では、有効化プログラム４３の実行により有効化される特定機能が空気調和装置１の電力按分機能である。ここで、機器管理装置の特定機能としては、例えば複数の設備機器に対するスケジュール機能、連動制御機能、デマンド制御機能、省エネ制御機能、追加的な計測機能（パルス入力、発停などの回数カウント）、ＷＥＢサーバ機能などであってもよい。
【００７０】
（ｄ）
本実施形態に係る空調機管理システムのコントローラ２では、通常動作時に処理部で実行されるＯＳ２２は、プログラム２３のみを実行可能となっている。
ここで、記録部１２に記録されておりコントローラ２の起動時にブートローダ２１により読み込まれて実行されるオペレーティングシステムであるＯＳがプログラム２３以外のプログラムを実行できる場合が考えられる。このようなＯＳがブートローダ２１により読み込まれて処理部１４で実行される場合には、有効化記録媒体３０ａの有効化プログラム４３が処理部１４で実行されて、特定機能が有効化される可能性がある。つまり、記録媒体３０に不正に複製された有効化プログラム４３をも処理部で実行されるおそれが生じる。
【００７１】
そこで、有効化記録媒体３０ａの読取可能領域３２に、有効化ＯＳ４２と有効化プログラム４３とが別個に保存されておらず、有効化ＯＳ４２と有効化プログラム４３とが一体となった有効化プログラムＯＳ５２が記録されており、有効化ブートローダ４１が処理部１４で実行されることにより有効化プログラムＯＳ５２が読み取られて処理部１４で実行されるようになっていても良い。この有効化プログラムＯＳ５２が処理部１４で実行されると、上記の有効化プログラム４３と同様に、プログラム２３の特殊機能を有効化し、さらにその後に、有効化記録媒体３０ａに記録される有効化ブートローダ４１を消去する。
【００７２】
以上より、プログラム２３以外のプログラムを実行可能なＯＳが通常動作時に実行される場合には、有効化プログラムＯＳ５２が有効化記録媒体３０ａに記録されているように構成することにより、有効化プログラム４３を単体として他の記録媒体３０に複製することができなくなる。よって、有効化プログラム４３が実行されて、プログラム２３の特定機能を不正に有効化されるおそれを抑制することが可能となる。
【００７３】
なお、有効化プログラムＯＳ５２が実行されることにより、有効化ブートローダ４１に加えて有効化プログラムＯＳ５２を消去するようにしても良い。この場合には、特定機能を不正に有効化されるおそれをさらに抑えることができる。
（ｅ）
本実施形態に係る空調機管理システムのコントローラ２は、有効化記録媒体３０ａが接続されることにより、有効化ブートローダ４１、有効化ＯＳ４２、及び有効化プログラム４３が実行されることにより、プログラム２３の特定機能が有効化される。ここで、有効化記録媒体３０ａの代わりに、有効化ブートローダ４１、有効化ＯＳ４２、及び有効化プログラム４３を記憶部に記憶する機能有効化装置が用いられていても良い。このとき、コントローラ２は、機能有効化装置の被接続部と接続可能な接続部を介して、有効化ブートローダ４１、有効化ＯＳ４２、及び有効化プログラム４３の読み込みを行う。さらに詳細に説明すると、機能有効化装置の記憶部は、コントローラ２の起動時に優先的に読み取りが行われる読取優先領域と、コントローラ２の通常動作時に読み書きが可能である読取可能領域とから構成されている。読取優先領域には有効化ブートローダ４１が記録されており、また読取可能領域には有効化ＯＳ４２と有効化プログラム４３とが記録されている。有効化プログラム４３を処理部１４で実行すると、記録部１２に特定機能有効化ファイルが設けられる。これにより、プログラム２３の特定機能を利用することが可能となる。
【００７４】
なお、本実施形態と同様に、有効化ブートローダ４１が読み込まれ、有効化ＯＳ４２が読み込まれることにより有効化プログラム４３が処理部１４で実行される。有効化プログラム４３が処理部１４で実行されることにより、本実施形態と同様に、機能有効化装置の記憶部に記憶される有効化ブートローダ４１と有効化ＯＳ４２とを削除する。
【００７５】
ここで、機能有効化装置の被接続部が接続可能なのは、コントローラ２の接続部のみに限られておらず、汎用のパーソナルコンピュータなどが有する接続部や、汎用のパーソナルコンピュータに拡張される接続部にも接続可能であってもよい。すなわち、機能有効化装置が記憶する記憶内容は、汎用のパーソナルコンピュータから読み取り可能であってもよい。ただし、読取優先領域は、汎用のパーソナルコンピュータなどで読取及び書込ができない読取不能領域となっている。このため、汎用のパーソナルコンピュータは、有効化ブートローダ４１を複製することができない。
【００７６】
以上のような構成であるため、機能有効化装置に記憶される有効化プログラム４３が不正に複製されても、有効化ブートローダ４１及び有効化ＯＳ４２が存在しないとコントローラ２で有効化プログラム４３を実行できない。よって、やはりコントローラ２のプログラム２３の特定機能を不正に有効化することが抑えられる。
【００７７】
なお、この場合にも、機能有効化装置の記憶部に記憶されている情報、すなわち有効化ブートローダ４１、有効化ＯＳ４２、及び有効化プログラム４３の全てが削除されても良い。この場合には、特定機能を不正に有効化されるおそれをさらに抑えることができる。
また、有効化ＯＳ４２及び有効化プログラム４３の代わりに、機能有効化装置の記憶部の読取可能領域に有効化プログラムＯＳ５２が記憶されるような、他の実施例（ｄ）と同様の構成であってもよい。
【００７８】
【発明の効果】
請求項１に記載の機能有効化記録媒体では、機能有効化記録媒体の複製を防ぐ事が可能となり、制御装置の特定機能が不正に有効化されることを妨げることができる。
請求項２に記載の機能有効化記録媒体では、特定機能を不正に有効化されるおそれをさらに抑えることができる。
【００７９】
請求項３に記載の機能有効化記録媒体では、制御装置の特定機能が不正に有効化されることを妨げることが可能となる。
請求項４に記載の機能有効化記録媒体では、機器管理装置の特定機能を有効化することが可能となる。
請求項５に記載の機能有効化記録媒体では、汎用コンピュータで読取不能な読取不能領域を確実に設けることが可能となる。
【００８０】
請求項６に記載の機能有効化装置では、制御装置の特定機能が不正に有効化されることを妨げることができる。
請求項７に記載の制御装置では、制御装置の特定機能が不正に有効化されることを妨げることができる。
請求項８に記載の制御装置では、特定機能を不正に有効化されるおそれをさらに抑えることができる。
【００８１】
請求項９に記載の制御装置では、制御装置の特定機能が不正に有効化されることを妨げることが可能となる。
請求項１０に記載の制御装置では、機能有効化記録媒体により、機器管理装置の特定機能を有効化することが可能となる。
請求項１１に記載の制御装置では、制御装置の特定機能が不正に有効化されることを妨げることができる。
【００８２】
請求項１２に記載の機能有効化システムでは、機能有効化記録媒体の複製を防げるため、制御装置の特定機能が不正に有効化されることを妨げることが可能となる。
請求項１３に記載の機能有効化システムでは、特定機能を不正に有効化されるおそれをさらに抑えることができる。
【００８３】
請求項１４に記載の機能有効化システムでは、機能有効化記録媒体により、機器管理装置の特定機能を有効化することが可能となる。
【図面の簡単な説明】
【図１】本発明の一実施形態に係る空調機管理システムのブロック図。
【図２】コントローラの起動プロセスに関するフローチャート。
【符号の説明】
１  空気調和装置
２  コントローラ
１２  記録部
１４  処理部
１５  記録媒体読取部
２１  ブートローダ
２２  ＯＳ
３０ａ  有効化記録媒体
３１  読取優先領域
３２  読取可能領域
４１  有効化ブートローダ
４２  有効化ＯＳ
４３  有効化プログラム
【図１】
2004326874.tif 000003
【図２】
2004326874.tif 000004
【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
制御装置（２）の無効化されている特定機能を有効化する為に用いる機能有効化記録媒体（３０ａ）であって、
汎用読取装置で読取不能な領域であり、前記制御装置（２）の起動時に読み込まれて実行される媒体起動手段（４１）が記録される読取不能領域（３１）と、
前記汎用読取装置で読取可能な領域であり、有効化手段（４２、４３）が記録される読取可能領域（３２）と、
を備え、
前記媒体起動手段（４１）は、前記制御装置（２）に読み込まれて実行されることにより、前記読取可能領域（３２）に記録される前記有効化手段（４２、４３）を前記制御装置（２）に読み込ませて実行させ、
前記有効化手段（４２、４３）は、前記制御装置（２）に読み込まれて実行されることにより、前記制御装置（２）の前記特定機能を有効にすると共に前記読取不能領域（３１）に記録される前記媒体起動手段（４１）を消去する、
機能有効化記録媒体（３０ａ）。
【請求項２】
前記有効化手段（４２、４３）は、前記制御装置（２）に読み込まれて実行されることにより、前記制御装置（２）の前記特定機能を有効にすると共に前記読取不能領域（３１）に記録される前記媒体起動手段（４１）及び前記読取可能領域（３２）に記録される前記有効化手段（４２、４３）を消去する、
請求項１に記載の機能有効化記録媒体（３０ａ）。
【請求項３】
前記有効化手段（４２、４３）は、
前記制御装置（２）のオペレーティングシステム（ＯＳ）である有効化ＯＳ（４２）と、
前記有効化ＯＳ（４２）上で実行される有効化プログラム（４３）と、
を有し、
前記媒体起動手段（４１）は、前記制御装置（２）に読み込まれて実行されることにより、前記読取可能領域（３２）に記録される前記有効化ＯＳ（４２）を前記制御装置（２）に読み込ませて実行させ、
前記有効化ＯＳ（４２）は、前記制御装置（２）に読み込まれて実行されることにより、前記読取可能領域（３２）に記録される前記有効化プログラム（４３）を前記制御装置（２）に読み込ませて実行させ、
前記有効化プログラム（４３）は、前記制御装置（２）に読み込まれて実行されることにより、前記制御装置（２）の前記特定機能を有効にすると共に前記読取不能領域（３１）に記録される前記媒体起動手段（４１）を消去し、さらに前記読取可能領域（３２）に記録される前記有効化ＯＳ（４２）を消去する、
請求項１に記載の機能有効化記録媒体（３０ａ）。
【請求項４】
前記制御装置（２）は、設備機器（１）の管理を行う機器管理装置（２）である、
請求項１から３のいずれか１項に記載の機能有効化記録媒体（３０ａ）。
【請求項５】
前記汎用読取装置は、メモリカードを読取可能である汎用コンピュータであり、
メモリカードである、
請求項１から４のいずれか１項に記載の機能有効化記録媒体（３０ａ）。
【請求項６】
制御装置（２）の無効化されている特定機能を有効化する為に用いる機能有効化装置であって、
記憶部と、
前記制御装置（２）及び汎用読取装置に接続可能な被接続部と、
を備え、
前記記憶部は、
前記汎用読取装置からの読取が不能である読取不能領域と、
前記汎用読取装置からの読取が可能である読取可能領域と、
を有し、
前記読取不能領域には、前記制御装置（２）の起動時に読み込まれて実行される装置起動手段（４１）が記憶されており、
前記読取可能領域には、有効化手段（４２、４３）が記憶されており、
前記装置起動手段（４１）は、前記制御装置（２）に読み込まれて実行されることにより、前記読取可能領域に記憶される前記有効化手段（４２、４３）を前記制御装置（２）に読み込ませて実行させ、
前記有効化手段（４２、４３）は、前記制御装置（２）に読み込まれて実行されることにより、前記制御装置（２）の前記特定機能を有効にすると共に前記読取不能領域に記憶される前記装置起動手段（４１）を消去する、
機能有効化装置。
【請求項７】
無効化された特定機能を有する制御装置（２）であって、
媒体起動手段（４１）と有効化手段（４２、４３）とが記録される機能有効化記録媒体（３０ａ）を読み取り可能な媒体読取部（１５）と、
少なくとも通常起動手段（２１）を記録する記録部（１２）と、
前記通常起動手段（２１）及び前記装置起動手段（４１）のいずれかを実行する処理部（１４）と、
を備え、
前記媒体起動手段（４１）は、汎用読取装置で読取不能な領域である前記機能有効化記録媒体（３０ａ）の読取不能領域（３１）に記録されており、
前記有効化手段（４２、４３）は、前記汎用読取装置で読取可能な領域である前記機能有効化記録媒体（３０ａ）の読取可能領域（３２）に記録されており、
前記処理部（１４）は、起動時において、前記媒体読取部（１５）に前記機能有効化記録媒体（３０ａ）がある場合に前記機能有効化記録媒体（３０ａ）の前記媒体起動手段（４１）を読み込んで実行し、前記媒体読取部（１５）に前記機能有効化記録媒体（３０ａ）が無い場合に前記記録部（１２）の前記通常起動手段（２１）を読み込んで実行し、
前記媒体起動手段（４１）は、前記処理部（１４）に読み込まれて実行されることにより、前記媒体読取部（１５）を介して前記有効化手段（４２、４３）を読み込ませると共に前記処理部（１４）に前記有効化手段（４２、４３）を読み込ませて実行させ、
前記有効化手段（４２、４３）は、前記処理部（１４）に読み込まれて実行されることにより、前記特定機能を有効にすると共に前記機能有効化記録媒体（３０ａ）に記録される前記媒体起動手段（４１）を消去する、
制御装置（２）。
【請求項８】
前記有効化手段（４２、４３）は、前記処理部（１４）に読み込まれて実行されることにより、前記特定機能を有効にすると共に前記機能有効化記録媒体（３０ａ）に記録される前記媒体起動手段（４１）及び前記有効化手段（４２、４３）を消去する、
請求項７に記載の制御装置（２）。
【請求項９】
前記有効化手段（４２、４３）は、
前記制御装置のオペレーティングシステム（ＯＳ）である有効化ＯＳ（４２）と、
前記有効化ＯＳ（４２）上で実行される有効化プログラム（４３）と、
を有し、
前記媒体起動手段（４１）は、前記処理部（１４）に読み込まれて実行されることにより、前記読取可能領域（３２）に記録される前記有効化ＯＳ（４２）を前記処理部（１４）に読み込ませて実行させ、
前記有効化ＯＳ（４２）は、前記処理部（１４）に読み込まれて実行されることにより、前記読取可能領域（３２）に記録される前記有効化プログラム（４３）を前記処理部（１４）に読み込ませて実行させ、
前記有効化プログラム（４３）は、前記処理部（１４）に読み込まれて実行されることにより、前記特定機能を有効にすると共に前記読取不能領域（３１）に記録される前記媒体起動手段（４１）を消去し、さらに前記読取可能領域（３２）に記録される前記有効化ＯＳ（４２）を消去する、
請求項７に記載の制御装置（２）。
【請求項１０】
設備機器（１）の管理を行う機器管理装置（２）である、
請求項７から９のいずれか１項に記載の制御装置（２）。
【請求項１１】
無効化された特定機能を有する制御装置（２）であって、
装置起動手段（４１）と有効化手段（４２、４３）とを記憶する機能有効化装置に接続する接続部と、
少なくとも通常起動手段（２１）を記録する記録部（１２）と、
前記通常起動手段（２１）及び前記装置起動手段（４１）のいずれかを実行する処理部（１４）と、
を備え、
前記機能有効化装置は、
汎用読取装置に接続された際に、前記汎用読取装置からの読取が不能である読取不能領域（３１）と前記汎用読取装置からの読取が可能である読取可能領域（３２）とが設けられる記憶部を有し、
前記装置起動手段（４１）は、前記読取不能領域（３１）に記憶されており、
前記有効化手段（４２、４３）は、前記読取可能領域（３２）に記憶されており、
前記処理部（１４）は、起動時において、前記接続部に前記機能有効化装置が接続されている場合に前記機能有効化装置の前記装置起動手段（４１）を読み込んで実行し、前記接続部に前記機能有効化装置が接続されていない場合に前記記録部（１２）の前記通常起動手段（２１）を読み込んで実行し、
前記装置起動手段（４１）は、前記処理部（１４）に読み込まれて実行されることにより、前記接続部を介して前記有効化手段（４２、４３）を読み込ませると共に前記処理部（１４）に前記有効化手段（４２、４３）を読み込ませて実行させ、
前記有効化手段（４２、４３）は、前記処理部（１４）に読み込まれて実行されることにより、前記特定機能を有効にすると共に前記機能有効化装置に記憶される前記装置起動手段（４１）を消去する、
制御装置（２）。
【請求項１２】
無効化された特定機能を有する制御装置（２）と、
前記制御装置（２）の前記特定機能を有効化する有効化手段が記録される機能有効化記録媒体（３０ａ）と、
を備え、
前記機能有効化記録媒体（３０ａ）は、
汎用読取装置で読取不能な領域であり前記制御装置（２）の起動時に読み込まれて実行される媒体起動手段（４１）が記録される読取不能領域（３１）と、
前記汎用読取装置で読取可能な領域であり有効化手段（４２、４３）が記録される読取可能領域（３２）と、
を有し、
前記媒体起動手段（４１）は、前記制御装置（２）に読み込まれて実行されることにより、前記有効化手段（４２、４３）を前記制御装置（２）に読み込ませて実行させ、
前記有効化手段（４２、４３）は、前記制御装置（２）に読み込まれて実行されることにより、前記制御装置（２）の前記特定機能を有効にすると共に前記機能有効化記録媒体（３０ａ）に記録される前記媒体起動手段（４１）を消去する、
機能有効化システム。
【請求項１３】
前記有効化手段（４２、４３）は、前記制御装置（２）に読み込まれて実行されることにより、前記制御装置（２）の前記特定機能を有効にすると共に前記機能有効化記録媒体（３０ａ）に記録される前記媒体起動手段（４１）及び前記有効化手段（４２、４３）を消去する、
請求項１２に記載の機能有効化システム。
【請求項１４】
前記制御装置（２）は、設備機器の管理を行う機器管理装置（２）である、
請求項１２または１３に記載の機能有効化システム。
【手続補正２】
【補正対象書類名】明細書
【補正対象項目名】０００８
【補正方法】変更
【補正の内容】
【０００８】
本発明の課題は、制御装置の特定機能を制御装置の外部からの情報に基づいて不正に有効化することを妨げることができる機能有効化記録媒体を提供することにある。本発明の別の課題は、前掲の機能有効化記録媒体により特定機能を有効化する制御装置を提供することにある。さらに、本発明の別の課題は、これらの機能有効化記録媒体及び制御装置を備えた機能有効化システムを提供することにある。


【手続補正３】
【補正対象書類名】明細書
【補正対象項目名】０００９
【補正方法】変更
【補正の内容】
【０００９】
請求項１に記載の機能有効化記録媒体は、制御装置の無効化されている特定機能を有効化する為に用いる機能有効化記録媒体であって、読取不能領域と読取可能領域とを備える。読取不能領域は、汎用読取装置で読取不能な領域である。読取不能領域には、媒体起動手段が記録されている。媒体起動手段は、制御装置の起動時に読み込まれて実行される。読取可能領域は、汎用読取装置で読取可能な領域である。読取可能領域には、有効化手段が記録されている。媒体起動手段は、制御装置に読み込まれて実行されることにより、読取可能領域に記録される有効化手段を制御装置に読み込ませて実行させる。有効化手段は、制御装置に読み込まれて実行されることにより、制御装置の特定機能を有効にすると共に読取不能領域に記録される媒体起動手段を消去する。


【手続補正４】
【補正対象書類名】明細書
【補正対象項目名】００１２
【補正方法】変更
【補正の内容】
【００１２】
以上により、媒体起動手段の複製を防ぐ事が可能となり、有効化手段の実行を防ぐことができるため、制御装置の特定機能が制御装置の外部からの情報に基づいて不正に有効化されることを妨げることができる。
なお、有効化手段は、制御装置で実行されることにより、媒体起動手段を消去するが、併せて機能有効化記録媒体の有効化手段を消去してもよい。この場合には、さらに有効化手段の複製をも妨げることが可能となるため、特定機能を不正に有効化されるおそれをさらに抑えることができる。


【手続補正５】
【補正対象書類名】明細書
【補正対象項目名】００１３
【補正方法】変更
【補正の内容】
【００１３】
また、機能有効化記録媒体は、記録の消去が可能な記録媒体である。例えば、メモリカード、フレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などが挙げられる。
請求項２に記載の機能有効化記録媒体は、請求項１に記載の機能有効化記録媒体であって、有効化手段は、制御装置に読み込まれて実行されることにより、制御装置の特定機能を有効にすると共に読取不能領域に記録される媒体起動手段及び読取可能領域に記録される有効化手段を消去する。


【手続補正６】
【補正対象書類名】明細書
【補正対象項目名】００１４
【補正方法】変更
【補正の内容】
【００１４】
ここでは、有効化手段が制御装置で実行されることにより、読取不能領域に記録される媒体起動手段が消去されるのに加えて、読取可能領域に記録される有効化手段も消去される。これにより、有効化手段の複製をも妨げることが可能となるため、特定機能を不正に有効化されるおそれをさらに抑えることができる。
請求項３に記載の機能有効化記録媒体は、請求項１に記載の機能有効化記録媒体であって、有効化手段は、有効化ＯＳと有効化プログラムとを有する。有効化ＯＳは、制御装置のオペレーティングシステム（ＯＳ）である。有効化プログラムは、有効化ＯＳ上で実行される。媒体起動手段は、制御装置に読み込まれて実行されることにより、読取可能領域に記録される有効化ＯＳを制御装置に読み込ませて実行させる。有効化ＯＳは、制御装置に読み込まれて実行されることにより、読取可能領域に記録される有効化プログラムを制御装置に読み込ませて実行させる。有効化プログラムは、制御装置に読み込まれて実行されることにより、制御装置の特定機能を有効にすると共に読取不能領域に記録される媒体起動手段を消去し、さらに読取可能領域に記録される有効化ＯＳを消去する。


【手続補正７】
【補正対象書類名】明細書
【補正対象項目名】００１７
【補正方法】変更
【補正の内容】
【００１７】
請求項４に記載の機能有効化記録媒体は、請求項１から３のいずれか１項に記載の機能有効化記録媒体であって、制御装置は、設備機器の管理を行う機器管理装置である。
ここでは、制御装置が機器管理装置である。このため、機能有効化記録媒体により、機器管理装置の特定機能を有効化することが可能となる。


【手続補正８】
【補正対象書類名】明細書
【補正対象項目名】００１９
【補正方法】変更
【補正の内容】
【００１９】
ここでは、機能有効化記録媒体がメモリカードであるため、汎用コンピュータで読取不能な読取不能領域を確実に設けることが可能となる。
請求項６に記載の機能有効化装置は、制御装置の無効化されている特定機能を有効化する為に用いる機能有効化装置であって、記憶部と被接続部とを備える。被接続部は、制御装置及び汎用読取装置に接続可能である。記憶部は、読取不能領域と読取可能領域とを有する。読取不能領域は、汎用読取装置からの読取が不能である。読取可能領域は、汎用読取装置からの読取が可能である。読取不能領域には、装置起動手段が記憶されている。装置起動手段は、制御装置の起動時に読み込まれて実行される。読取可能領域には、有効化手段が記憶されている。装置起動手段は、制御装置に読み込まれて実行されることにより、読取可能領域に記憶される有効化手段を前記制御装置に読み込ませて実行させる。有効化手段は、制御装置に読み込まれて実行されることにより、制御装置の特定機能を有効にすると共に読取不能領域に記憶される装置起動手段を消去する。


【手続補正９】
【補正対象書類名】明細書
【補正対象項目名】００２２
【補正方法】変更
【補正の内容】
【００２２】
以上により、装置起動手段の複製を防ぐ事が可能となり、有効化手段の実行を防ぐことができるため、制御装置の特定機能が制御装置の外部からの情報に基づいて不正に有効化されることを妨げることができる。
なお、有効化手段は、制御装置で実行されることにより、装置起動手段を消去するが、併せて機能有効化装置の有効化手段を消去してもよい。この場合には、さらに有効化手段の複製をも妨げることが可能となるため、特定機能を不正に有効化されるおそれをさらに抑えることができる。


【手続補正１０】
【補正対象書類名】明細書
【補正対象項目名】００２３
【補正方法】変更
【補正の内容】
【００２３】
請求項７に記載の制御装置は、無効化された特定機能を有する制御装置であって、媒体読取部と記録部と処理部とを備える。媒体読取部は、機能有効化記録媒体を読み取り可能である。機能有効化記録媒体には、媒体起動手段と有効化手段とが記録されている。記録部は、少なくとも通常起動手段を記録する。処理部は、通常起動手段及び装置起動手段のいずれかを実行する。媒体起動手段は、機能有効化記録媒体の読取不能領域に記録されている。読取不能領域は、汎用読取装置で読取不能な領域である。有効化手段は、機能有効化記録媒体の読取可能領域に記録されている。読取可能領域は、汎用読取装置で読取可能な領域である。処理部は、起動時において、媒体読取部に機能有効化記録媒体がある場合に機能有効化記録媒体の媒体起動手段を読み込んで実行する。処理部は、起動時において、媒体読取部に機能有効化記録媒体が無い場合に記録部の通常起動手段を読み込んで実行する。媒体起動手段は、処理部に読み込まれて実行されることにより、媒体読取部を介して有効化手段を読み込ませると共に処理部に有効化手段を読み込ませて実行させる。有効化手段は、処理部に読み込まれて実行されることにより、特定機能を有効にすると共に機能有効化記録媒体に記録される媒体起動手段を消去する。


【手続補正１１】
【補正対象書類名】明細書
【補正対象項目名】００２６
【補正方法】変更
【補正の内容】
【００２６】
また、媒体起動手段は、汎用読取装置で読取不能な読取不能領域に記録されている。このため、汎用読取装置において他の記録媒体に有効化手段などを複製しても、媒体起動手段が複製されていないため、有効化手段が実行できず、制御装置の特定機能を有効化できないことになる。
以上により、媒体起動手段の複製を防ぐ事が可能となり、有効化手段の実行を防ぐことができるため、制御装置の特定機能が制御装置の外部からの情報に基づいて不正に有効化されることを妨げることができる。


【手続補正１２】
【補正対象書類名】明細書
【補正対象項目名】００２８
【補正方法】変更
【補正の内容】
【００２８】
請求項８に記載の制御装置は、請求項７に記載の制御装置であって、有効化手段は、処理部に読み込まれて実行されることにより、特定機能を有効にすると共に機能有効化記録媒体に記録される媒体起動手段及び有効化手段を消去する。
ここでは、有効化手段が処理部で実行されることにより、機能有効化記録媒体の読取不能領域に記録される媒体起動手段が消去されるのに加えて、機能有効化記録媒体の読取可能領域に記録される有効化手段も消去される。これにより、有効化手段の複製をも妨げることが可能となるため、特定機能を不正に有効化されるおそれをさらに抑えることができる。


【手続補正１３】
【補正対象書類名】明細書
【補正対象項目名】００２９
【補正方法】変更
【補正の内容】
【００２９】
請求項９に記載の制御装置は、請求項７に記載の制御装置であって、有効化手段は、有効化ＯＳと有効化プログラムとを有する。有効化ＯＳは、制御装置のオペレーティングシステム（ＯＳ）である。有効化プログラムは、有効化ＯＳ上で実行される。媒体起動手段は、処理部に読み込まれて実行されることにより、読取可能領域に記録される有効化ＯＳを処理部に読み込ませて実行させる。有効化ＯＳは、処理部に読み込まれて実行されることにより、読取可能領域に記録される有効化プログラムを処理部に読み込ませて実行させる。有効化プログラムは、処理部に読み込まれて実行されることにより、特定機能を有効にすると共に読取不能領域に記録される媒体起動手段を消去し、さらに読取可能領域に記録される有効化ＯＳを消去する。


【手続補正１４】
【補正対象書類名】明細書
【補正対象項目名】００３３
【補正方法】変更
【補正の内容】
【００３３】
請求項１１に記載の制御装置は、無効化された特定機能を有する制御装置であって、接続部と記録部と処理部とを備える。接続部は、機能有効化装置と接続する。機能有効化装置は、装置起動手段と有効化手段とを記憶する。記録部は、少なくとも通常起動手段を記録する。処理部は、通常起動手段及び装置起動手段のいずれかを実行する。機能有効化装置は、記憶部を有する。記憶部は、読取不能領域と読取可能領域とが設けられる。読取不能領域は、汎用読取装置に接続された際に、汎用読取装置からの読取が不能である。読取可能領域は、汎用読取装置に接続された際に、汎用読取装置からの読取が可能である。装置起動手段は、読取不能領域に記憶されている。有効化手段は、読取可能領域に記憶されている。処理部は、起動時において、接続部に機能有効化装置が接続されている場合に機能有効化装置の装置起動手段を読み込んで実行する。処理部は、起動時において、接続部に機能有効化装置が接続されていない場合に記録部の通常起動手段を読み込んで実行する。装置起動手段は、処理部に読み込まれて実行されることにより、接続部を介して有効化手段を読み込ませると共に処理部に有効化手段を読み込ませて実行させる。有効化手段は、処理部に読み込まれて実行されることにより、特定機能を有効にすると共に機能有効化装置に記憶される装置起動手段を消去する。


【手続補正１５】
【補正対象書類名】明細書
【補正対象項目名】００３４
【補正方法】変更
【補正の内容】
【００３４】
制御装置の特定機能は当初無効化されている。機能有効化装置が接続部に接続されている際に、接続部を介して読み取られた装置起動手段が処理部で実行されることにより、有効化手段が実行されて、制御装置の特定機能が有効化される。機能有効化装置が接続部に接続されていない場合には、記録部の通常起動手段を読み込んで処理部で処理することにより、通常起動を行う。


【手続補正１６】
【補正対象書類名】明細書
【補正対象項目名】００３６
【補正方法】変更
【補正の内容】
【００３６】
また、装置起動手段は、汎用読取装置で読取不能な読取不能領域に記録されている。このため、汎用読取装置において他の装置に有効化手段などを複製しても、装置起動手段が複製されていないため、有効化手段が実行できず、制御装置の特定機能を有効化できないことになる。
以上により、装置起動手段の複製を防ぐ事が可能となり、有効化手段の実行を防ぐことができるため、制御装置の特定機能が制御装置の外部からの情報に基づいて不正に有効化されることを妨げることができる。


【手続補正１７】
【補正対象書類名】明細書
【補正対象項目名】００３７
【補正方法】変更
【補正の内容】
【００３７】
なお、有効化手段は、処理部で実行されることにより、装置起動手段を消去するが、併せて機能有効化装置の有効化手段を消去してもよい。この場合には、さらに有効化手段の複製化をも妨げることが可能となるため、特定機能を不正に有効化されるおそれをさらに抑えることができる。
請求項１２に記載の機能有効化システムは、制御装置と機能有効化記録媒体とを備える。制御装置は、無効化された特定機能を有する。機能有効化記録媒体は、有効化手段が記録される。有効化手段は、制御装置の特定機能を有効化する。機能有効化記録媒体は、読取不能領域と読取可能領域とを有する。読取不能領域は、汎用読取装置で読取不能な領域である。読取不能領域には、媒体起動手段が記録される。媒体起動手段は、制御装置の起動時に読み込まれて実行される。読取可能領域は、汎用読取装置で読取可能な領域である。読取可能領域には、有効化手段が記録される。媒体起動手段は、制御装置に読み込まれて実行されることにより、有効化手段を制御装置に読み込ませて実行させる。有効化手段は、制御装置に読み込まれて実行されることにより、制御装置の特定機能を有効にすると共に機能有効化記録媒体に記録される媒体起動手段を消去する。


【手続補正１８】
【補正対象書類名】明細書
【補正対象項目名】００４０
【補正方法】変更
【補正の内容】
【００４０】
以上により、媒体起動手段の複製を防ぐ事が可能となり、有効化手段の実行を防ぐことができるため、制御装置の特定機能が制御装置の外部からの情報に基づいて不正に有効化されることを妨げることができる。
なお、有効化手段は、制御装置で実行されることにより、媒体起動手段を消去するが、併せて機能有効化記録媒体の有効化手段を消去してもよい。この場合には、さらに有効化手段の複製をも妨げることが可能となるため、特定機能を不正に有効化されるおそれをさらに抑えることができる。


【手続補正１９】
【補正対象書類名】明細書
【補正対象項目名】００４１
【補正方法】変更
【補正の内容】
【００４１】
また、機能有効化記録媒体は、記録の消去が可能な記録媒体である。例えば、メモリカード、フレキシブルディスク、光磁気ディスク、リムーバブルハードディスクドライブ、書換可能な光ディスク（ＣＤ−ＲＷ、ＤＶＤ−ＲＷ、ＤＶＤ−ＲＡＭ等）などが挙げられる。
請求項１３に記載の機能有効化システムは、請求項１２に記載の機能有効化システムであって、有効化手段は、制御装置に読み込まれて実行されることにより、制御装置の特定機能を有効にすると共に機能有効化記録媒体に記録される媒体起動手段及び有効化手段を消去する。


【手続補正２０】
【補正対象書類名】明細書
【補正対象項目名】００７８
【補正方法】変更
【補正の内容】
【００７８】
【発明の効果】
請求項１に記載の機能有効化記録媒体では、媒体起動手段の複製を防ぐ事が可能となり、有効化手段の実行を防ぐことができるため、制御装置の特定機能が制御装置の外部からの情報に基づいて不正に有効化されることを妨げることができる。
請求項２に記載の機能有効化記録媒体では、特定機能を不正に有効化されるおそれをさらに抑えることができる。


【手続補正２１】
【補正対象書類名】明細書
【補正対象項目名】００８０
【補正方法】変更
【補正の内容】
【００８０】
請求項６に記載の機能有効化装置では、装置起動手段の複製を防ぐ事が可能となり、有効化手段の実行を防ぐことができるため、制御装置の特定機能が制御装置の外部からの情報に基づいて不正に有効化されることを妨げることができる。
請求項７に記載の制御装置では、媒体起動手段の複製を防ぐ事が可能となり、有効化手段の実行を防ぐことができるため、制御装置の特定機能が制御装置の外部からの情報に基づいて不正に有効化されることを妨げることができる。
請求項８に記載の制御装置では、特定機能を不正に有効化されるおそれをさらに抑えることができる。


【手続補正２２】
【補正対象書類名】明細書
【補正対象項目名】００８１
【補正方法】変更
【補正の内容】
【００８１】
請求項９に記載の制御装置では、制御装置の特定機能が不正に有効化されることを妨げることが可能となる。
請求項１０に記載の制御装置では、機能有効化記録媒体により、機器管理装置の特定機能を有効化することが可能となる。
請求項１１に記載の制御装置では、装置起動手段の複製を防ぐ事が可能となり、有効化手段の実行を防ぐことができるため、制御装置の特定機能が制御装置の外部からの情報に基づいて不正に有効化されることを妨げることができる。


【手続補正２３】
【補正対象書類名】明細書
【補正対象項目名】００８２
【補正方法】変更
【補正の内容】
【００８２】
請求項１２に記載の機能有効化システムでは、媒体起動手段の複製を防ぐ事が可能となり、有効化手段の実行を防ぐことができるため、制御装置の特定機能が制御装置の外部からの情報に基づいて不正に有効化されることを妨げることができる。
請求項１３に記載の機能有効化システムでは、特定機能を不正に有効化されるおそれをさらに抑えることができる。